【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
共有オンライン空間の第１メンバーを前記共有オンライン空間のユーザーに対して提示するための方法であって、
前記共有オンライン空間において前記ユーザーと前記第１メンバーが共同して存在することに基づいて、前記ユーザーと前記第１メンバーの間の関係度を決定するステップであって、前記共同して存在することは、前記ユーザーと前記第１メンバーが前記共有オンライン空間に同時に接続している時間の量、及び前記ユーザーと前記第１メンバーが前記共有オンライン空間に同時に接続している回数に基づく、ステップと、
前記共有オンライン空間の１又は複数のメンバーに係る１又は複数の視覚的表現の第１セットと、前記共有オンライン空間の１又は複数のメンバーに係る１又は複数の視覚的表現の第２セットとを、ディスプレイにおいて提供するステップであって、前記第１セットは、前記関係度に基づく前記第１メンバーの第１視覚的表現と第２メンバーの第２視覚的表現を含み、前記第２セットは、第３メンバーの第３視覚的表現と第４メンバーの第４視覚的表現を含み、前記第１セットは、前記関係度と、前記第２メンバーに関連する前記関係度とは異なる第２関係度とを含む、関係度の第１範囲に関連しており、前記第２セットは、前記第３メンバーに関連する第３関係度と、前記第４メンバーに関連する前記第３関係度とは異なる第４関係度とを含む、関係度の第２範囲に関連しており、前記第１視覚的表現は、前記関係度が前記第３関係度より大きい場合に前記第３視覚的表現よりも大きくサイズ調整され、前記第１視覚的表現は、前記第２視覚的表現と同じサイズであり、前記第３視覚的表現は、前記第４視覚的表現と同じ第２サイズである、ステップと、
前記第１セットに視覚的処理を適用して前記第１視覚的表現と前記第２視覚的表現が前記視覚的処理を有するようにするステップであって、前記視覚的処理は、配色、動的な視覚的特性、又は表示位置のうちの少なくとも１つを含む、ステップと、
前記第２セットに第２視覚的処理を適用して前記第３視覚的表現と前記第４視覚的表現が前記第２視覚的処理を有するようにするステップであって、前記第２視覚的処理は、第２の配色、第２の動的な視覚的特性、又は第２の表示位置のうちの少なくとも１つを含む、ステップと、
前記第１視覚的表現に第１バッジを適用し前記第２視覚的表現に前記第１バッジとは異なる第２バッジを適用するステップであって、前記第１バッジは、前記第１メンバーに関連する第１通信形態を示し、前記第２バッジは、前記第２メンバーに関連する第２通信形態を示す、ステップと、
前記第３視覚的表現に第３バッジを適用し前記第４視覚的表現に前記第３バッジとは異なる第４バッジを適用するステップであって、前記第３バッジは、前記第３メンバーに関連する第３通信形態を示し、前記第４バッジは、前記第４メンバーに関連する第４通信形態を示す、ステップと、
を含み、前記方法の少なくとも一部は処理装置によって実現される、
方法。
【請求項２】
前記第１バッジ、前記第２バッジ、前記第３バッジ、又は前記第４バッジのうちの少なくとも１つは、利用可能な意味的なアプリケーションデータを表す、請求項１に記載の方法。
【請求項３】
前記利用可能な意味的なアプリケーションデータは、オンラインアクションの実行を開始することが可能であるアプリケーションを含む、請求項２に記載の方法。
【請求項４】
前記利用可能な意味的なアプリケーションデータは、前記共有オンライン空間に関連する１又は複数の許可に関する意味的情報、又は前記共有オンライン空間への接続方法に関する意味的情報、のうちの１又は複数を識別することが可能であるアプリケーションを含む、請求項２に記載の方法。
【請求項５】
前記関係度を決定する前記ステップは、相互作用度を決定するステップを含み、
前記相互作用度を決定する前記ステップは、
前記ユーザーと前記第１メンバーについての頻度係数を決定するステップと、
前記ユーザーと前記第１メンバーについての最近度係数を決定するステップと、
前記頻度係数と前記最近度係数を組み合わせるステップと、
を含む、請求項１に記載の方法。
【請求項６】
１又は複数の外部共有オンライン空間において前記ユーザーと前記第１メンバーが共同して存在することに基づいて、前記ユーザーと前記第１メンバーについての外部相互作用係数を決定するステップと、
前記外部相互作用係数、前記頻度係数、及び前記最近度係数を組み合わせることによって前記相互作用度を決定するステップと、
を含む、請求項５に記載の方法。
【請求項７】
前記関係度は、前記第１メンバー又は前記ユーザーのうちの少なくとも一方によって前記共有オンライン空間に提供されたコンテンツに基づいて決定される、請求項１に記載の方法。
【請求項８】
前記共有オンライン空間における前記ユーザーと前記第１メンバーについての相互作用度を決定するステップと、
前記ユーザーと前記第１メンバーの間におけるソーシャルネットワークコネクションの数に基づいてソーシャルネットワーク度を決定するステップと、
前記関係度を決定するステップであって、前記相互作用度と前記ソーシャルネットワーク度を組み合わせるステップを含む、ステップと、
を含む、請求項１に記載の方法。
【請求項９】
関係度の前記第１範囲は、関係度の前記第２範囲と異なる、請求項１に記載の方法。
【請求項１０】
前記第１バッジは、前記第３バッジ又は前記第４バッジのうちの少なくとも１つと異なる、請求項１に記載の方法。
【請求項１１】
前記第３バッジは、前記第１バッジ又は前記第２バッジのうちの少なくとも１つと異なる、請求項１に記載の方法。
【請求項１２】
関係度の前記第１範囲は、関係度の前記第２範囲より大きい、請求項１に記載の方法。
【請求項１３】
共有オンライン空間の第１メンバーを前記共有オンライン空間のユーザーに対して提示するためのシステムであって、
１又は複数の処理装置と、
前記１又は複数の処理装置のうちの少なくとも一部によって実行された時に方法を実施する命令を備えたメモリと、
を備え、前記方法は、
前記共有オンライン空間において前記ユーザーと前記第１メンバーが共同して存在することに基づいて、前記ユーザーと前記第１メンバーの間の関係度を決定するステップであって、前記共同して存在することは、前記ユーザーと前記第１メンバーが前記共有オンライン空間に同時に接続している時間の量、及び前記ユーザーと前記第１メンバーが前記共有オンライン空間に同時に接続している回数に基づく、ステップと、
前記共有オンライン空間の１又は複数のメンバーに係る１又は複数の視覚的表現の第１セットと、前記共有オンライン空間の１又は複数のメンバーに係る１又は複数の視覚的表現の第２セットとを、ディスプレイにおいて提供するステップであって、前記第１セットは、前記関係度に基づく前記第１メンバーの第１視覚的表現と第２メンバーの第２視覚的表現を含み、前記第２セットは、第３メンバーの第３視覚的表現と第４メンバーの第４視覚的表現を含み、前記第１セットは、前記関係度と、前記第２メンバーに関連する第２関係度とを含む、関係度の第１範囲に関連しており、前記第２セットは、前記第３メンバーに関連する第３関係度と、前記第４メンバーに関連する第４関係度とを含む、関係度の第２範囲に関連しており、前記第１視覚的表現は、前記関係度が前記第３関係度より大きい場合に前記第３視覚的表現よりも大きくサイズ調整され、前記第１視覚的表現は、前記第２視覚的表現と同じサイズであり、前記第３視覚的表現は、前記第４視覚的表現と同じ第２サイズである、ステップと、
前記第１視覚的表現に第１バッジを適用し前記第２視覚的表現に前記第１バッジとは異なる第２バッジを適用するステップであって、前記第１バッジは、前記第１メンバーに関連する第１通信形態を示し、前記第２バッジは、前記第２メンバーに関連する第２通信形態を示す、ステップと、
前記第３視覚的表現に第３バッジを適用し前記第４視覚的表現に前記第３バッジとは異なる第４バッジを適用するステップであって、前記第３バッジは、前記第３メンバーに関連する第３通信形態を示し、前記第４バッジは、前記第４メンバーに関連する第４通信形態を示す、ステップと、
を含む、システム。
【請求項１４】
前記関係度を決定する前記ステップは、相互作用度を決定するステップを含み、
前記相互作用度を決定する前記ステップは、
前記ユーザーと前記第１メンバーについての頻度係数を決定するステップと、
前記ユーザーと前記第１メンバーについての最近度係数を決定するステップと、
前記頻度係数と前記最近度係数を組み合わせて前記相互作用度を生成するステップと、
を含む、請求項１３に記載のシステム。
【請求項１５】
前記関係度を決定する前記ステップは、
１又は複数のソーシャルネットワークサイト上での前記ユーザーと前記第１メンバーの間のコネクションの数を決定するステップ、
前記第１メンバーに関連するオンラインフィードの前記ユーザーによる利用に関する情報を決定するステップ、
のうちの少なくとも１つを含む、請求項１３に記載のシステム。